(57)【特許請求の範囲】
【請求項１】
本体内部に接触部を有する電気・機械器具のトレンド診断方法において、
接触部のＸ線透視画像上に監視する電触点を予め複数定めてＸ線透視画像を経時的にファイリングし、
Ｘ線透視画像の既知の長さの画素数と測定箇所間の画素数に基づいた予め定めた複数の電触点についての測定箇所間の長さの算出を、ファイリングしたファイル画像について実行し、得られたそれぞれの結果から測定箇所の距離的変化を求め、
得られた変化から作成される変化曲線と１つのスレッショルド線を画面に表示し、前記複数の電触点についての消耗の最も激しい測定結果を示す変化曲線と前記スレッショルド線との交点を、前記接触部についての消耗の最も激しい箇所として識別表示することを含んで構成されること
を特徴とする電気・機械器具の接触部のトレンド診断方法。
【請求項２】
請求項１において、
前記変化曲線からガス遮断器の固定接触子の先端部分の消耗具合を識別することを特徴とする電気・機械器具の接触部のトレンド診断方法。
【請求項３】
請求項１または２において、
前記変化曲線を表示した画面に、前記変化曲線をその変化の方向に延長して接触部の消耗具合を予想することを特徴とする電気・機械器具の接触部のトレンド診断方法。
【請求項４】
本体内部に接触部を有する電気・機械器具のトレンド診断方法において、
接触部のＸ線透視画像上に監視する電触点を予め複数定めてＸ線透視画像を経時的にファイリングし、
Ｘ線透視画像に写された接触部の既知の直径方向の長さを参照して、消耗の激しい予め定めた複数の箇所の特定箇所に対する距離的変化を求め、
得られた変化から作成される複数の変化曲線および1つのスレッショルド線を画面に表示し、かつ
該変化曲線の予め定めた複数の箇所から前記消耗の最も激しい箇所の消耗具合を識別すること
を特徴とする電気・機械器具の接触部のトレンド診断方法。
【請求項５】
本体内部に接触部を有する電気・機械器具のトレンド診断装置において、
接触部のＸ線透視画像上に監視する電触点を予め複数定めてＸ線透視画像を経時的にファイリングするファイリング手段と、
Ｘ線透視画像の既知の長さの画素数と測定箇所間の画素数に基づいて予め定めた複数の測定箇所間の長さを算出するステップをファイリングしたファイリング画像について実行し、得られたそれぞれの結果から測定箇所の距離的変化を求める処理手段と、および
得られた変化から作成された変化曲線とスレッショルド線を画面表示し、消耗の最も激しい測定結果を示す変化曲線と前記スレッショルド線との交点を、前記接触部についての消耗の最も激しい箇所として識別表示する画面表示手段とを含んで構成されること
を特徴とする電気・機械器具の接触部のトレンド診断装置。
【請求項６】
請求項５において、
前記画像表示手段は、前記変化曲線のその後の変化予想線を前記変化曲線に延長して表示するものであることを特徴とする電気・機械器具の接触部のトレンド診断装置。
【請求項７】
本体内部に接触部を有する電気・機械器具のトレンド診断装置において、
接触部のＸ線透視画像上に監視する電触点を予め複数定めてＸ線透視画像を経時的にファイリングするファイリング手段と、
ファイリングされたＸ線透視画像に基づいた接触部の予め定めた複数の測定箇所の距離の経時的変化をそれぞれの変化曲線として、かつ予め定めた1つのスレッショルドを消耗限界線として、かつ複数の前記変化曲線を予め定めた法則に従って延長する延長線として表示し、該延長線の内、前記消耗限界線に最も早い時期に交わる点を、前記接触部についての消耗の最も激しい箇所として識別表示することによって消耗限界日数を関連づけて表示する画面表示手段を有すること
を特徴とする電気・機械器具のトレンド診断装置。
【発明の詳細な説明】
【０００１】
【発明の属する技術分野】
本発明は、電気・機械器具の接触部の消耗等のトレンドを診断する方法および装置に関する。
【０００２】
【従来の技術】
特開昭６２−２４５１６号公報には、接点部の接点摺動範囲の近傍に、光学検査器によってその消耗量やきずの有無等を判定することができるような指標を一個あるいは複数個設け、この指標は、点検時に接点部の寿命診断あるいは使用可否の判定材料となり得る定量的な大きさ、面粗度等を有するものとなし、光学検査器からＴＶモニタ、写真撮影等により得られた情報を基にして、接点部の消耗量や異物の有無等を判定する基準として使用するものとしたガス絶縁開閉装置が記載されている。
【０００３】
【発明が解決しようとする課題】
本発明は、電気・機械器具の接触部の消耗量や異物の有無等を現時点、将来の予想を含めて視覚的に確実に識別し、そのトレンドを診断することのできる方法および装置を提供することを目的とする。
【０００４】
【課題を解決するための手段】
本発明は、接触部のＸ線透視画像を経時的にファイリングし、ファイリングした画像を利用して測定箇所の距離的変化を変化曲線として求め、これを画像として表示し、接触部のトレンドを認識することに特徴がある。
【０００５】
変化曲線を画像に表示して視覚的にたやすく消耗等のトレンドを認識しやすくしたために、電気・機械器具の接触部のように外部から窺い知ることのできない現象を容易に把握することができる。
【０００６】
本発明は、具体的には次に掲げる方法および装置を提供する。
【０００７】
本発明は、本体内部に接触部を有する電気・機械器具のトレンド診断方法において、接触部のＸ線透視画像を経時的にファイリングし、Ｘ線透視画像の既知の長さの画素数と測定箇所間の画素数に基づいた測定箇所間の長さの算出を、ファイリングしたファイル画像について実行し、得られた結果から測定箇所の距離的変化を求め、得られた変化から作成される変化曲線を画面に表示することを含んで構成される電気・機械器具の接触部のトレンド診断方法を提供する。
【０００８】
加えて、前記変化曲線から接触部の先端部分の消耗具合を識別する電気・機械器具の接触部のトレンド診断方法を提供する。
【０００９】
加えて、前記変化曲線を表示した画面に、予め定めたスレッショルド線を表示し、かつ前記変化曲線をその変化の方向に延長して接触部の消耗具合を予想する電気・機械器具の接触部のトレンド診断方法を提供する。
【００１０】
本発明は、本体内部に接触部を有する電気・機械器具のトレンド診断方法において、接触部のＸ線透視画像を経時的にファイリングし、Ｘ線透視画像に写された接触部の既知の直径方向の長さを参照して、消耗の激しい箇所の特定箇所に対する距離的変化を求め、得られた変化から作成される変化曲線を画面に表示し、かつ該変化曲線から前記消耗の激しい箇所の消耗具合を識別する電気・機械器具の接触部のトレンド診断方法を提供する。
【００１１】
本発明は、本体内部に接触部を有する電気・機械器具のトレンド診断装置において、接触部のＸ線透視画像を経時的にファイリングするファイリング手段と、Ｘ線透視画像の既知の長さの画素数と測定箇所間の画素数に基づいて測定箇所間の長さを算出するステップをファイリングしたファイリング画像について実行し、得られた結果から測定箇所の距離的変化を求める処理手段と、および得られた変化から作成された変化曲線を画面表示する画面表示手段とを含んで構成される電気・機械器具の接触部のトレンド診断装置を提供する。
【００１２】
加えて、前記画像表示手段は、前記変化曲線のその後の変化予想線を前記変化曲線に延長して表示するものである電気・機械器具の接触部のトレンド診断装置を提供する。
【００１３】
本発明は、本体内部に接触部を有する電気・機械器具のトレンド診断装置において、接触部のＸ線透視画像を経時的にファイリングするファイリング手段と、ファイリングされたＸ線透視画像に基づいた接触部の測定箇所の距離の経時的変化を変化曲線として、かつ予め定めたスレッショルドを消耗限界線として、かつ前記変化曲線を予め定めた法則に従って延長する延長線として表示し、該延長線が前記消耗限界線に交わる点を表示することによって消耗限界日数を関連づけて表示する画面表示手段を有する電気・機械器具のトレンド診断装置を提供する。
【００１４】
【発明の実施の形態】
以下、本発明にかかる１実施例を図面に基づいて説明する。
【００１５】
図１は、被検査をＸ線照射し、得られたＸ線データに基づいてＸ線画像を表示する構成を示す。図において、被検査物１に対峙してＸ線発生器２、Ｘ線検出器３が配置される。Ｘ線発生器２からのＸ線照射によってＸ線検出器４でＸ線データが得られ、そのデータはコード１２を介してパソコン（パーソナルコンピュータ）５およびＸ線画像表示器６を備えた画像処理装置４に送られ、ここで処理されてＸ線画像表示がなされる。画像処理装置４は、隔壁１６にＸ線発生器２およびＸ線検査器３から隔てられて配置される。このようにしてＸ線透視装置が構成される。
【００１６】
図２は、被検査物の一例として掲げたガス遮断器（ＧＣＢ）を表す。ガス遮断器の構成については詳細がよく知られているところなので、ここでは詳述しない。ガス遮断器は図示するように接触部Ａを有する。
【００１７】
図３にその閉状態（（ａ）図）および開状態（（ｂ）図）を示す。（ａ）図には固定接触子１１が移動端子１２に接触している状態を示し、（ｂ）図にはこれらが分離されている状態を示す。
【００１８】
図４は、本発明の実施例をブロックにより示す図である。前述したＸ線検出器３からのＸ線データは処理装置２１に入力される処理装置２１では、Ｘ線データによるＸ線画像は経時的にファイリング２２される。図４に画像表示された固定接触子１１を示す。図において、固定接触子１１は円形の中実体をなしており、その直径方向の長さＡＢは既知である。長さＡＢに該当する画素数が処理装置２１で求められ、図４に示すように、既知距離の画素数２３として記憶される。固定接触子１１の中央部の長さは特定点Ｃと最先端Ｄとの間に設定し、ＣＤで表示する。任意の測定点ＦあるいはＨについて特定点ＥおよびＧの間に測定距離ＥＦあるいはＧＨが設定される。設定されたＤ，Ｆ，Ｈは電気的接触の入り、切りにより激しく電触される。この電触点を画像により定め、その点の距離のトレンドを監視するのが望ましい。測定箇所ＣＤ，ＥＦ，ＧＨの画素数２４が計測され、記録される。既知の距離の画素数２３と測定箇所の画素数２４から測定箇所ＣＤ，ＥＦ，ＧＨの距離２５が求められる。例えばＣＤの長さは、ＣＤ間画素数をＡＢ間画素数で除した値にＡＢ長さを掛けることによって求まる。ＥＦ，ＧＨの長さも同様にして求まる。
【００１９】
測定箇所の距離を経時的に記録し、該記録データに基づいて距離の変化曲線２６を求める。図６にその変化曲線ＣＤ，ＧＨ，ＥＦを示す。該変化曲線２６と予め定めたトレンド延長法則２７とによって変化曲線２６を延長した予想線（図６に点線で示す）を加えたトレンド線２８を形成する。トレンド線２８は、処理装置２１から出力され、スレッショルド線２９の出力と共に画像処理装置４の画像表示器６に表示される。その表示の例が図６である。スレッショルド線をＳで示す。スレッショルド線２９の処理はパソコン５で行ってもよい。消耗の最も激しい変化曲線ＥＦのトレンド線とスレッショルド線Ｓとは交点Ｉで交わる。交点Ｉから画面上で寸法経時変化に基づいて、警告あるいは交換作業の目安としての年月日を求めることができる。
【００２０】
図７は、フローチャートを示す。図において、ガス遮断器の固定接触子をＸ線撮影し、画像を画像表示器の表示モニタ上に表示する（ステップＳ３１）。表示モニタ上の固定接触子のポイントＡ，Ｂを指定し、ポイントＡ，Ｂ間の画素数を求める（ステップＳ３２）。表示モニタ上の固定接触子のポイントＣ，Ｄを指定し、ポイントＣ，Ｄ間の画素数を求める（ステップＳ３３）。
【００２１】
ＣＤ長さを
【００２２】
【数１】
0003881789.tif 000002
【００２３】
から求める（ステップＳ３４）。ＣＤ長さを記録する（ステップＳ３５）。表示モニタ上に表示し、前回の長さと比較する（ステップＳ３６）。
【００２４】
ＥＦ，ＧＨについても同様にして距離を求め、表示モニタ上に表示することができる。
【００２５】
この実施例では画素数を計測して距離を算出しているが直接的に求めてもよいことは当然である。
【００２６】
得られた変化から作成される変化曲線を画面に表示し、該変化曲線から測定箇所、例えば消耗の激しい箇所の消耗具合を識別することができる。
【００２７】
前述のように、変化曲線を表示した画面に、予め定めたスレッショルド線を表示し、かつ前記変化曲線をその変化の方向に延長して接触部の消耗具合を予想することができ、スレッショルド線を消耗限界線として表示すれば限界線との交点を求められれば消耗部品の交換作業日を設定することができる。スレッショルド線を直接画面に表示したくても交点としてのＩを表示することは当然可能である。このような場合にも当発明では交点Ｉをスレッショルド線との交点と定義する。
【００２８】
【発明の効果】
本発明によれば、電気・機械器具の接触部、例えばガス遮断器、断路器の固定接触子の消耗量や異物の有無等を現時点または／および将来の予想を含めて視覚的に識別し、そのトレンドを診断することのできる方法および装置を提供することができる。
【００２９】
従って、遮断器、断路層の固定接触子の最も激しい摩耗点を監視し、その交換作業を計画的に行うことができる。
【図面の簡単な説明】
【図１】Ｘ線装置の概略構成図。
【図２】被検査物の例としてのガス遮断器の断面図。
【図３】ガス遮断器の固定接触子の開閉状態図。
【図４】本発明の実施例を示すブロック図。
【図５】測定箇所を表す図。
【図６】画面表示の例を示す画面図。
【図７】フローチャート図。
【符号の説明】
１…被検査物、２…Ｘ線発生器、３…Ｘ線検出器、４…画像処理表示、５…パソコン、６…Ｘ線画像表示器、２１…処理装置、２２…ファイリング、２３…既知の距離の画素数、２４…測定箇所の画素数、２５…測定箇所の距離、２６…距離の変化曲線、２７…トレンド延長法則、２８…スレッショルド線。
【図１】
0003881789.tif 000003
【図２】
0003881789.tif 000004
【図３】
0003881789.tif 000005
【図４】
0003881789.tif 000006
【図５】
0003881789.tif 000007
【図６】
0003881789.tif 000008
【図７】
0003881789.tif 000009